(57)【要約】【課題】背幅を複数種類に設定するとき、綴込金具の部品の種類を少なくできる書類ファイルを提供する。【解決手段】ファイル本体１の背表紙４を断面略コ字形に形成して、綴込金具３を内設する。綴込金具３を、書類２を保持する書類挟持体６と、この書類挟持体６をファイル本体１に取り付ける取付体７とから構成する。書類挟持体６を、一対の挟持板９ａ、９ｂに、書類２の綴じ孔１０に挿通させる挿通ガイド１１を差し渡した構造とする。挿通ガイド１１は、ガイドパイプ１３にガイドピン１４を挿入した構造とする。取付体７を一対の側板７ａ、７ｂに分離して、背表紙４の側片４ａ、４ｂの内側面に固定する。書類ファイルの背幅を変更するとき、側板７ａ、７ｂ及び挟持板９ａ、９ｂを変更せずに、ガイドパイプ１３及びガイドピン１４の長さだけを変更する。【選択図】　図１
0003096998.tif 000002
【実用新案登録請求の範囲】
【請求項１】
背表紙の両側縁に二枚の表紙が開閉自在に接続されてなるファイル本体と、両表紙間に書類を綴じ込むための綴込金具とを備えた書類ファイルにおいて、
前記綴込金具は、一対の挟持板と、その間に差し渡され書類の綴じ孔に挿通する挿通ガイドとから構成された書類挟持体と、該書類挟持体をファイル本体に取付け保持するための取付体とを備え、
前記取付体は、一対の側板が互いに分離して前記ファイル本体に取り付けられてなることを特徴とする書類ファイル。
【請求項２】
前記一対の挟持板のうちの一方が前記一対の側板の一方にヒンジを介して揺動自在に支持され、他方の挟持板が他方の側板に係脱自在に係合されたことを特徴とする請求項１に記載の書類ファイル。
【請求項３】
前記背表紙が断面略コ字形に形成され、その内側に前記綴込金具が配設され、該綴込金具の側板が前記背表紙の側片にそれぞれ固定されたことを特徴とする請求項２に記載の書類ファイル。
【請求項４】
前記挿通ガイドは、一対の挟持板のうち一方の挟持板の長さ方向に間隔をおいて複数個配設されたガイドパイプと、該ガイドパイプに挿入可能に前記他方の挟持板にそれぞれ立設されたガイドピンとから構成されたことを特徴とする請求項１に記載の書類ファイル。
【請求項５】
他方の挟持板を他方の側板に係脱自在に係合する係合手段は、挟持板と側板とのうちの一方に突設された係止ピンと、該係止ピンを係脱自在に係止するよう他方に形成された切欠と、該切欠に出退自在に設けられ突出状態で前記係止ピンを抜け止めする抜止片と、該抜止片を突出方向に付勢するばねと、前記抜止片をばねに抗して切欠から後退させる解除レバーとから構成されたことを特徴とする請求項２に記載の書類ファイル。
【考案の詳細な説明】
【０００１】
【考案の属する技術分野】
本考案は、書類を整理保存するために使用する書類ファイルに関するものである。
【０００２】
【従来の技術】
一般に、書類を整理保存するとき、書類ファイルを使用することが多い。図３に書類ファイルの一例を示す（特許文献１）。この書類ファイルは、いわゆるパイプファイルと称されるものであり、ファイル本体１０１（表紙）の背表紙１０２に、書類を綴じ込むための綴込金具１０３が取り付けられている。
【０００３】
綴込金具１０３は、背表紙１０２に固着された基板１０４と、基板１０４上に取り付けられた側板１０５、１０６と、一方の側板１０５に突設されたパイプ１０７と、パイプ１０７に抜き差し自在なピン１０８が突設された覆板１０９とから構成され、その覆板１０９が他方の側板１０６に係脱自在とされている。
【０００４】
この綴込金具１０３は、書類の綴じ孔にパイプ１０７を挿通して、その中央穴に覆板１０９のピン１０８を差し込むことにより、書類を保持するようになっている。覆板１０９を他方の側板１０６で係止することにより、側板１０５の揺動が阻止され、書類が綴込金具１０３に綴じ込まれる。
【０００５】
【特許文献１】
登録実用新案公報第３０６２６１８号（段落番号０００７、段落番号０００８、第１図）
【０００６】
【考案が解決しようとする課題】
ところで、背幅が異なる複数種類の書類ファイルを製造するとき、その背幅に応じて、パイプの長さを調節すると共に、側板同士の間隔を所定の大きさに設定している。
【０００７】
ただ、一対の側板が基板を介して一体化されているので、背幅に応じて基板の大きさを変更することにより、側板同士の間隔を調節する必要がある。そのため、大きさが異なる複数種類の基板を用意しておき、使用する基板を書類ファイルの背幅に応じて選択する必要があり、用意しておく部品の種類が多くなる。
【０００８】
本考案は、背幅を複数種類に設定するときにも、綴込金具の部品の種類を少なくすることができる書類ファイルを提供することを目的とする。
【０００９】
【課題を解決するための手段】
上記課題に鑑み、本考案は、背表紙の両側縁に二枚の表紙が開閉自在に接続されてなるファイル本体と、両表紙間に書類を綴じ込むための綴込金具とを備え、その綴込金具が、一対の挟持板と、その間に差し渡され書類の綴じ孔に挿通する挿通ガイドとから構成された書類挟持体と、この書類挟持体をファイル本体に取付け保持するための取付体とを備えた構造を前提として、その取付体を、一対の側板を互いに分離させてファイル本体に取り付ける構成とした書類ファイルを提供するものである。
【００１０】
この構成によれば、側板同士の間隔を背表紙の幅に対応する大きさに設定することにより、挿通ガイドの長さを調節するだけで、書類ファイルを所定の背幅に設定することができる。このとき、挟持板及び側板は、背幅に関わらず同じものを使用することができ、これらを保持する基板を不要にすることができる。
【００１１】
書類挟持体を取付体に取り付けるための取付構造として、一方の挟持板を一方の側板でヒンジを介して揺動自在に支持し、他方の挟持板を他方の側板に係脱自在に係合する。そうすれば、他方の挟持板と側板との係合を解除してヒンジ周りに揺動させることにより、書類挟持体を取付体から取り外さずに書類を綴じ込むことができる。
【００１２】
背表紙を断面略コ字形に形成して、その内側に綴込金具を配設し、この綴込金具の側板を背表紙の側片にそれぞれ固定すれば、綴じ込んだ書類を開くとき、背表紙を持を持ちやすく、書類の見開きを楽にすることができる。なお、側板が背表紙から突出しないので、書類ファイルをなめらかに開くことができ、綴込金具を背表紙の背面に取り付けないので、金具取付用のリベットなどがタイトル紙の配置の邪魔にならない。
【００１３】
挿通ガイドの数は１個であってもよいが、複数個の挿通ガイドを設けて書類が挿通ガイドの周りに回転することを防止してもよい。このとき、複数組の挟持板を設けて、各組の挟持板に挿通ガイドを差し渡してもよいが、各挿通ガイドを共通の挟持板に差し渡せば、複数の挿通ガイドを一体的に揺動させることができ、書類の綴じ孔に挿通ガイドを挿通させやすくなる。
【００１４】
挿通ガイドとしては、一方の挟持板に立設したガイドパイプに、他方の挟持板に立設したガイドピンを挿入する構造を例示できる。すなわち、挿通ガイドを、一対の挟持板のうち一方の挟持板の長さ方向に間隔をおいて複数個配設したガイドパイプと、このガイドパイプに挿入可能に他方の挟持板にそれぞれ立設したガイドピンとから構成してもよい。
【００１５】
他方の挟持板を他方の側板に係脱自在に係合する係合手段としては、挟持板と側板とのうちの一方に突設した係止ピンと、この係止ピンを係脱自在に係止するよう他方に形成した切欠と、この切欠に出退自在に設けられ突出状態で係止ピンを抜け止めする抜止片と、抜止片を突出方向に付勢するばねと、抜止片をばねに抗して切欠から後退させる解除レバーとから構成するものを例示できる。
【００１６】
【考案の実施の形態】
以下、本考案に係る書類ファイルの実施の形態について、図面を用いて説明する。図１は本考案の書類ファイルの斜視図、図２は書類を綴じ込んだときの書類ファイルの斜視図である。
【００１７】
この書類ファイルは、書類を整理保存するためのいわゆるパイプファイルと称されるものであり、合成樹脂や紙などから形成されたファイル本体１に、書類２を綴じ込むための金属製の綴込金具３を取り付けてなる。
【００１８】
ファイル本体１は、例えば略長方形の合成樹脂板を折り曲げて、左右方向の中央に断面コ字形の背表紙４を形成することにより、背表紙４の両側縁に表紙５ａ、５ｂを開閉自在に接続した形状とされる。背表紙４には、上下方向（背表紙４の長手方向）に沿って綴込金具３が内設され、両表紙５ａ、５ｂ間に書類２を綴じ込むようになっている。
【００１９】
綴込金具３は、書類２を保持する書類挟持体６と、この書類挟持体６をファイル本体１に取付保持するための取付体７とからなり、その取付体７を構成する一対の側板７ａ、７ｂが、互いに分離されてリベット８で背表紙４の側片４ａ、４ｂの内側面に固定されている。
【００２０】
書類挟持体６は、一対の挟持板９ａ、９ｂと、その間に差し渡されて書類２の綴じ孔１０に挿通される４本の挿通ガイド１１とからなる。挟持板９ａ、９ｂは、背表紙４内の空間に収まる大きさの金属片とされ、挟持板９ａが右側の側板７ａにヒンジ１２を介して揺動自在に支持され、挟持板９ｂが左側の側板７ｂに係脱自在に係合される。
【００２１】
書類挟持体６をヒンジ１２周りに揺動させることにより、挟持板９ｂが側片４ｂに対向するように背表紙４内に収まった綴込姿勢と、挟持板９ｂが背表紙４から突出する非綴込姿勢とが切り換わる。なお、挟持板９ａは、図示しないコイルばねにより、非綴込姿勢に付勢されている。
【００２２】
挿通ガイド１１は、挟持板９ａ、９ｂの長さ方向に間隔をおいて互いに平行に配設された４本のガイドパイプ１３と、ガイドパイプ１３に挿入可能な４本のガイドピン１４とから構成され、ガイドパイプ１３が挟持板９ａの内側面に、ガイドピン１４が挟持板９ｂの内側面にそれぞれ立設される。
【００２３】
ガイドパイプ１３は、その長さを背表紙４の左右方向の幅（背幅）よりもわずかに短くされ、挟持板９ａを介して、各ガイドパイプ１３同士が一体化されている。ガイドパイプ１３の外径は、書類２の綴じ孔１０よりも小さくされ、ガイドパイプ１３の先端は、綴じ孔１０に挿通させやすいように、ガイドパイプ１３の軸方向に対して斜めにカットされている。
【００２４】
挟持板９ｂを側板７ｂに係脱自在に係合させる係合手段は、挟持板９ｂの外側面に突設された２本の係止ピン１５と、係止ピン１５を係脱自在に係止するよう側板７ｂに形成された二箇所の切欠１６と、切欠１６に出退自在に設けられて突出状態で係止ピン１５を抜け止めする抜止片１７と、抜止片１７を突出方向に付勢するばね（図示せず）と、抜止片１７をばねに抗して切欠１６から後退させる解除レバー１８とから構成される。
【００２５】
次に、この書類ファイルに書類を綴じ込む手順について説明する。まず、解除レバー１８を押し込んで抜止片１７を切欠１６から後退させ、係止ピン１５と切欠１６との係止を解除することにより、書類挟持体６を揺動させて非綴込姿勢に切り換える。
【００２６】
次いで、ガイドパイプ１３からガイドピン１４を抜き出すようにして挟持板９ｂを取り外し、書類２の綴じ孔１０にガイドパイプ１３を挿通させる。その後、パイプ６の中央穴にガイドピン１４を差し込むようにして挟持板９ｂを取り付けることにより、書類挟持体６で書類２を保持する。
【００２７】
書類挟持体６を揺動させて綴込姿勢に切り換え、挟持板９ｂの係止ピン１５を切欠１６に押し込む。抜止片１７は、一旦後退して係止ピン１５を通過させ、その後、再び切欠１６内に突出して係止ピン１５の抜け出しを阻止する。これにより、書類挟持体６の揺動が阻止され、両表紙５ａ、５ｂ間への書類２の綴じ込みが完了する。
【００２８】
上記構成によれば、取付体７を一対の側板７ａ、７ｂに分離して、それぞれを背表紙４の左右の側片４ａ、４ｂに取り付けるため、側板７ａ、７ｂを背表紙４の幅に対応する所定の間隔に設定することができる。各ガイドパイプ１３が共通の挟持板９ａにより一体的に揺動するので、ガイドパイプ１３の先端を書類２の綴じ孔１０に合わせやすくすることができる。
【００２９】
コ字形に形成した背表紙４を持って書類を開くことができるので、書類の見開きを楽にすることができる。背表紙４に綴込金具３を内設するので、側板７ａ、７ｂ及び挟持板９ａ、９ｂが背表紙４から突出せず、書類ファイルを開いたとき、書類２の表面をなめらかにすることができる。側板７ａ、７ｂを側片４ａ、４ｂに取り付けるので、リベット８が背表紙４の背面に突出せず、タイトル紙などを配置するときの邪魔にならない。
【００３０】
なお、本考案は、上記の実施の形態に限定されるものではなく、本考案の範囲内において、適宜変更を加えることができる。例えば、４本の挿通ガイド１１を設ける代わりに、１本、２本、３本あるいは５本以上の挿通ガイド１１を設けてもよい。
【００３１】
全ての挿通ガイド１１を一体的に揺動させるように、各ガイドパイプ１３同士を共通の挟持板９ａに立設する代わりに、各ガイドパイプ１３を別の挟持板に立設するようにしてもよい。この挟持板は、ガイドパイプ１３の基端をヒンジ構造などにより回動自在に連結するものなど、ガイドパイプ１３の基端を側板７ａに揺動自在に連結するものであればどのようなものでもよい。
【００３２】
側板７ａ、７ｂを背表紙４の側片４ａ、４ｂに取り付ける代わりに、背表紙４の背面部に取り付けてもよく、背表紙４を断面コ字形に形成する代わりに、平板状に形成してもよい。
【００３３】
【考案の効果】
以上の説明から明らかな通り、本考案では、取付体を一対の側板に分離して、それぞれを背表紙に取り付けるので、両者を連結する基板を不要にして、綴込金具の部品点数を少なくすることができる。分離された側板は、その間隔を所望の大きさに調節できるため、書類ファイルの背幅を所望の大きさに設定することができる。
【００３４】
背幅が異なる複数種類の書類ファイルを製造するとき、両側板及び両挟持板は同じものを使用できるので、ガイドパイプの長さ及びガイドピンの長さを変更するだけで、綴込金具の幅を書類ファイルの背幅に応じた大きさに設定することができる。そのため、変更を要する部品点数を少なくして、書類ファイルの製造コストを安くすることができる。
【００３５】
挿通ガイドの数は、２組、３組あるいは４組など、書類の綴じ孔の数に応じて選択することができ、その本数に関わらず同じ効果を得ることができる。
【図面の簡単な説明】
【図１】本考案の書類ファイルの斜視図
【図２】書類を綴じ込んだときの書類ファイルの斜視図
【図３】従来の書類ファイルの断面図
【符号の説明】
１　　ファイル本体
２　　書類
３　　綴込金具
４　　背表紙
４ａ、４ｂ　側片
５ａ、５ｂ　表紙
６　　書類挟持体
７　　取付体
７ａ、７ｂ　側板
９ａ、９ｂ　挟持板
１０　綴じ孔
１１　挿通ガイド
１２　ヒンジ
１３　ガイドパイプ
１４　ガイドピン
１５　係止ピン
１６　切欠
１７　抜止片
１８　解除レバー
【図１】
0003096998.tif 000003
【図２】
0003096998.tif 000004
【図３】
0003096998.tif 000005